(57)【特許請求の範囲】
【請求項１】
イーサネットプラグを受容するためのイーサネットジャックであって、前記イーサネットプラグが停止表面を持つプラグラッチを有し、前記イーサネットジャックが、
前記イーサネットプラグを受容するための空洞を画定する筐体を備え、前記筐体が、前記イーサネットプラグが前記イーサネットジャック内に受容されるときに前記イーサネットプラグの前記プラグラッチに隣接して位置付けられる側面を含み、前記側面が可撓性部材を含み、前記可撓性部材が、前記イーサネットプラグが前記イーサネットジャック内に受容されるときに前記プラグラッチと相互作用するように構成された少なくとも１つのプラグ・ラッチ停止部を含み、
前記少なくとも１つのプラグ・ラッチ停止部が、前記空洞に面する複数の表面を含み、前記複数の表面は、前記イーサネットプラグと前記イーサネットジャックとの接続が切れるときに前記停止表面の少なくとも１つ及び前記停止表面の端部と相互作用するように構成された少なくとも１つの角度付き表面を含み、前記複数の表面は、二次的表面を更に含み、前記二次的表面が、前記イーサネットプラグが前記イーサネットジャック内に受容されるときに前記停止表面に接触するように構成され、
前記可撓性部材の可撓性は、前記可撓性部材の２つの平行な側面に沿って位置付けられる切り欠きによって達成されている、イーサネットジャック。
【請求項２】
前記二次的表面が、少なくともほぼ垂直表面である、請求項１に記載のイーサネットジ
ャック。
【請求項３】
イーサネットコードであって、
撚り対ケーブルと、
前記撚り対ケーブルの少なくとも１つの端部に接続されたイーサネットジャックと、
を備え、
前記イーサネットジャックが、停止表面を持つプラグラッチを有するイーサネットプラグを受容するように構成されており、前記イーサネットジャックが、前記イーサネットプラグを受容するための空洞を画定する筐体を含み、前記筐体が、前記イーサネットプラグが前記イーサネットジャック内に受容されるときに前記イーサネットプラグの前記プラグラッチに隣接して位置付けられる側面を有し、前記側面が可撓性部材を含み、前記可撓性部材が、前記イーサネットプラグが前記イーサネットジャック内に受容されるときに前記プラグラッチと相互作用するように構成された少なくとも１つのプラグ・ラッチ停止部を含み、
前記少なくとも１つのプラグ・ラッチ停止部が、前記空洞に面する複数の表面を含み、前記複数の表面は、前記イーサネットプラグと前記イーサネットジャックとの接続が切れるときに前記停止表面の少なくとも１つ及び前記停止表面の端部と相互作用するように構成された少なくとも１つの角度付き表面を含み、前記複数の表面は、二次的表面を更に含み、前記二次的表面が、前記イーサネットプラグが前記イーサネットジャック内に受容されるときに前記停止表面に接触するように構成され、
前記可撓性部材の可撓性は、前記可撓性部材の２つの平行な側面に沿って位置付けられる切り欠きによって達成されている、イーサネットコード。
【請求項４】
前記二次的表面が、少なくともほぼ垂直表面である、請求項３に記載のイーサネットコード。
【請求項５】
通信システムであって、
通信機器と、
前記通信機器に接続されたイーサネットジャックと、
を備え、
前記イーサネットジャックが、停止表面を持つプラグラッチを有するイーサネットプラグを受容するためのものであり、前記イーサネットジャックが、  前記イーサネットプラグを受容するための空洞を画定する筐体を備え、前記筐体が、前記イーサネットプラグが前記イーサネットジャック内に受容されるときに前記イーサネットプラグの前記プラグラッチに隣接して位置付けられる側面を含み、前記側面が可撓性部材を含み、前記可撓性部材が、前記イーサネットプラグが前記イーサネットジャック内に受容されるときに前記プラグラッチと相互作用するように構成された少なくとも１つのプラグ・ラッチ停止部を含み、
前記少なくとも１つのプラグ・ラッチ停止部が、前記空洞に面する複数の表面を含み、前記複数の表面は、前記イーサネットプラグと前記イーサネットジャックとの接続が切れるときに前記停止表面の少なくとも１つ及び前記停止表面の端部と相互作用するように構成された少なくとも１つの角度付き表面を含み、前記複数の表面は、二次的表面を更に含み、前記二次的表面が、前記イーサネットプラグが前記イーサネットジャック内に受容されるときに前記停止表面に接触するように構成され、
前記可撓性部材の可撓性は、前記可撓性部材の２つの平行な側面に沿って位置付けられる切り欠きによって達成されている、通信システム。
【請求項６】
前記二次的表面が、少なくともほぼ垂直表面である、請求項５に記載の通信システム。
【請求項７】
前記通信機器が、パッチパネル、フェースプレート、表面実装型ボックス、メディア配信ユニット、ウォールジャック、イーサネットスイッチ、ルータ、サーバ、物理層管理システム、パワーオーバーイーサネット機器、セキュリティデバイス、ドアアクセス機器、電話、コンピュータ、ファックス機械、プリンタ、生体医療器具、健康管理診断機器、及び健康管理治療機器のうちの少なくとも１つである、請求項５に記載の通信システム。 
【発明の詳細な説明】
【技術分野】
【０００１】
（関連出願の相互参照）
本出願は、２０１４年１０月１日に出願された米国仮特許出願第６２／０５８、４０４号の利益を主張するものであり、この出願は参照によりその全体が本明細書に組み込まれる。
【０００２】
本発明は、一般にネットワーク通信の分野に関し、より具体的には、ＲＪ４５型プラグを、それに対する実質的な損傷を与えずに解放するように設計された、ジャック及びアセンブリに関する。
【背景技術】
【０００３】
ＲＪ４５型のプラグ及びジャックは、一般に、意図しない断線を防止するように設計されている。これは、一般的には、プラグラッチタブとジャック筐体との間に垂直の対面した相互作用を提供することによって達成されるが、この相互作用は、ユーザがプラグラッチを押し下げるときに係脱される。このような設計は、噛合されたプラグ／ジャックの組み合わせに対して意図しない大きい張力が加えられそうにない設定で有利となり得る。しかしながら、他のシナリオでは、このような設計は、実際には潜在的な機器損傷の原因となり得る。
【０００４】
例えば、エンドユーザが、モバイルアプリケーションでＲＪ４５型パッチコードを外すことを忘れて、比較的大きい張力がパッチコードに沿って加えられ、これにより高価な機器を損傷の危険に晒す場合に問題が発生しかねない。この状況が一般的に発生する場所の１つの例は病院内であり、そこでは技師たちが、機器の可動式台車と共に患者間で迅速に場所を入れ替わり、例えば緊急の場合に迅速にその場を去るときに、ネットワーク接続を外すことを忘れて、そのプロセスでネットワークポートに損傷を与えてしまう。そのような損傷は、結果としてダウンタイム及び著しい修復経費を生じかねない。
【０００５】
この問題のさらなる要素は、ネットワーク接続への引張の方向性が一貫していないということである。引張方向がプラグ本体の長さ方向に沿っている場合、プラグ自体が故障する可能性がより高くなる。しかしながら、角度が増加して、プラグ本体の長さの方向に対してより直角になるにつれて、ＲＪ４５型プラグはジャック筐体の側面に固着して、機器に対して損傷を生じさせる可能性がより高くなる。
【０００６】
したがって、安全なＲＪ４５型の接続を通常条件下で提供し、しかも、ケーブル中で張力が突然加えられても、ケーブルが非破壊的な様式で引き抜かれるようにプラグが係合されているときに、ＲＪ４５型プラグの引き抜き力を軽減する助けとなるようなデバイス、及びシステムに対する必要性が存在する。
【先行技術文献】
【特許文献】
【０００７】
【特許文献１】米国仮特許出願第６２／０５８、４０４号
【発明の概要】
【発明が解決しようとする課題】
【０００８】
したがって、本発明の少なくとも一部の実施形態は、安全なＲＪ４５型の接続部を通常条件下で提供し、しかも、ケーブル中で張力が突然加えられてもケーブルが非破壊的な様式で引き抜かれるようにプラグが係合されているときに、ＲＪ４５型プラグの引き抜き力を軽減する助けとなるようなデバイス、及びシステムを対象とする。
【課題を解決するための手段】
【０００９】
ある実施形態では、本発明は、十分な量の張力が加えられると、実装された標準のＲＪ４５型プラグを解放する改変されたＲＪ４５型ジャックに挿入された標準のＲＪ４５型プラグを含む離脱式ＲＪ４５型ケーブルアセンブリである。それを確実にするために、ケーブルアセンブリにおいて張力が増大するにつれて、改変されたＲＪ４５型ジャックと標準のＲＪ４５型プラグが接続されたパッチコードとの間の接続部は、離脱式ケーブルアセンブリが通信チャネルの中間に実装されているプラグ及びジャック本体の長さに実質的に沿って張力を経験する。
【００１０】
別の実施形態では、本発明は、ＲＪ４５型プラグを受容するためのＲＪ４５型通信ジャックであり、ＲＪ４５型プラグは停止表面を持つプラグラッチを有する。ジャックは、ＲＪ４５型プラグを受容するための筐体を含み、筐体は、ＲＪ４５型プラグがＲＪ４５型通信ジャック内に受容されるときにＲＪ４５型プラグラッチに隣接して位置付けられる側面を含み、側面は、可撓性部材を含み、可撓性部材は、ＲＪ４５型プラグがＲＪ４５型通信ジャック内に受容されるときにプラグラッチと相互作用するように構成された少なくとも１つのプラグ・ラッチ停止部を含む。
【００１１】
さらに別の実施形態では、本発明はＲＪ４５型通信コードである。コードは撚り対ケーブル及び撚り対ケーブルの少なくとも端部に接続されたＲＪ４５型通信ジャックを含み、ＲＪ４５型ジャックは、停止表面を持つプラグラッチを有するＲＪ４５型プラグを受容するためのものであり、ＲＪ４５型通信ジャックは、ＲＪ４５型プラグを受容するための筐体を含み、筐体は、ＲＪ４５型プラグがＲＪ４５型通信ジャック内に受容されるときにＲＪ４５型プラグラッチに隣接して位置付けられる側面を含み、側面は、可撓性部材を含み、可撓性部材は、ＲＪ４５型プラグがＲＪ４５型通信ジャック内に受容されるときにプラグラッチと相互作用するように構成された少なくとも１つのプラグ・ラッチ停止部を含む。
【００１２】
さらに別の実施形態では、本発明はＲＪ４５型通信ジャックであり、ジャックは、ＲＪ４５型プラグ挿入の軸を有し、ＲＪ４５型プラグはプラグラッチを有する。ジャックは、ＲＪ４５型プラグが通って受容されるための開口部を画定する筐体前面、及び筐体側面を持つ筐体を含み、筐体側面は、ＲＪ４５型プラグがＲＪ４５型通信ジャック内に受容されるときにＲＪ４５型プラグラッチに隣接して位置付けられ、筐体側面は、４つの可撓性部材側面を有する実質的に矩形の可撓性部材を含み、可撓性部材は、４つの可撓性部材側面のうちの１つに沿って筐体側面に固定される。
【００１３】
本発明のこれら及び他の特徴、態様、及び利点は、これに続き得る以下の図面、説明、及び特許請求の範囲を参照すればより良好に理解されるであろう。
【図面の簡単な説明】
【００１４】
【図１】本発明の実施形態による通信システムを示す。
【図２】本発明の実施形態による通信システムを示す。
【図３】本発明によるアセンブリの実施形態を示す。
【図４】図３のアセンブリの分解図を示す。
【図５】図３のアセンブリからのジャック筐体の前部斜視図を示す。
【図６】図３のアセンブリからのジャック筐体の前部斜視図を示す。
【図７】図３のアセンブリからのジャック筐体の上面図を示す。
【図８】図３のアセンブリからのジャック筐体の後部斜視図を示す。
【図９】ＲＪ４５型プラグと噛合した図３のアセンブリの断面図を示す。
【図１０】本発明によるアセンブリの実施形態を示す。
【発明を実施するための形態】
【００１５】
図１を参照すると、本発明の実施形態は、ＲＪ４５型ジャック２４があるパッチパネル２２を持つ通信システム２０と、離脱式ＲＪ４５型ケーブルアセンブリ２６と、ＲＪ４５型パッチコード３４と、を含む。離脱式ＲＪ４５型ケーブルアセンブリ２６は、ＲＪ４５型プラグ２８、中心軸３６を持つケーブル３０、及び離脱式ＲＪ４５型ジャック３２を含む。プラグ２８はジャック２４中に実装され、ＲＪ４５型パッチコード３４は、ＲＪ４５型プラグを介して離脱式ジャック３２中に実装される。図２は、ケーブル３０及びパッチコード３４の方向が離脱式ＲＪ４５型ジャック３２の中心軸３６のそれとほぼ一致したままであることを示すための変更されたケーブルアセンブリ２６の実装の方位を持つ通信システム２０を示す。
【００１６】
機器２２は図１及び２ではパッチパネルとして示されているが、現行のシステムは、受動機器及び／または能動機器を含み得る。受動機器の例は、これらに限られないが、モジュラーパッチパネル、パンチダウンパッチパネル、カプラーパッチーパネル、フェースプレート、表面実装型ボックス、メディア配信ユニット（ＭＤＵ）、ウォールジャックなどであり得る。能動機器の例は、これらに限られないが、イーサネットスイッチ、ルータ、サーバ、物理層管理システム、及び、データセンター／電気通信ルームで見受けられ得るようなパワーオーバーイーサネット機器；セキュリティデバイス（カメラ及び他のセンサーなど）及びドアアクセス機器；ならびに、電話、コンピュータ、ファックス機械、プリンタ、及びワークステーションエリアで見受けられ得るような他の周辺機器であり得る。通信システム２０は、キャビネット、ラック、ケーブル管理・オーバーヘッドルーティングシステム、及び他のこのような機器、ならびに、病院もしくは他のこのような環境下で見受けられ得るような健康管理応用分野、生体医療器具、診断、及び治療機器などの特定用途向けデバイスをさらに含み得る。
【００１７】
図３及び４は、離脱式ケーブルアセンブリ２６をより詳細に示す。その中に示すように、アセンブリ２６は、離脱式ジャック筐体３８、スレッドアセンブリ及び後部ジャック部分４０、フォイル４２、ワイヤキャップ４４、撚り対ケーブル３０、ならびにプラグアセンブリ２８を含む。プラグアセンブリ２８は、プラグブート４６、張力逃がしカラー４８、仕切り５０、負荷棒５２、ならびに、プラグラッチ６２及びタブ５９を持つプラグ筐体アセンブリ５４を含む。
【００１８】
図５〜８を参照すると、ジャック筐体３８は、ジャック筐体の頂部上に位置付けられ、かつプラグ／ジャックラッチポイントに隣接する可撓性部材５８を含む。現在説明されている実施形態では、可撓性部材５８の可撓性は、可撓性部材５８の２つの平行な側面に沿って位置付けられる切り欠き５６を提供することによって達成される。切り欠き５６は、可撓性部材５８をジャック筐体３８の残余から部分的に取り外して、所定の水準の可撓性を可能とする。
【００１９】
ジャック筐体３８は、プラグラッチ６２のタブ５９と相互作用するように位置付けられた改変されたプラグ・ラッチ停止部６０をさらに含む。プラグ・ラッチ停止部６０は、垂直表面６１及び角度付き表面６３を含み、その双方は図８に示すジャック筐体の背面図に図示されている。角度付き表面は平坦表面として図示されているが、他の実施形態では、この表面は、均一にまたは不均一に湾曲している可能性がある。加えて、角度付き表面６３と垂直表面６１との間に位置付けられた１つ以上の平坦なまたは湾曲した中間区分が存在し得る。さらに、垂直表面６１はサイズが変化し得るし、それらは全部一緒に省略され得る。
【００２０】
標準ＲＪ４５型プラグのラッチ機構と改変されたＲＪ４５型ジャックの係止機構との相互作用を、図１の切断線９−９に沿った噛合したプラグ／ジャックの組み合わせの断面図である図９にある程度詳細に示す。標準ＲＪ４５型プラグ６８は、改変されたＲＪ４５型ジャック３２と完全に噛み合わされているが、プラグラッチ６２上に位置付けられたタブ５９は、ジャック筐体３８のプラグ・ラッチ停止部６０によって制約されて、プラグ６８を、十分な引張力が加えられるまでジャック３２内に留まらせる。プラグ・ラッチ停止部６０が垂直表面６１を含む場合、タブ５９の垂直表面６１及び後部垂直表面７０は、プラグの追加された制約を提供するが、それは、２つの相互作用する表面６１、７０によって画定される平面７２が、引っ張りの張力の大部分がそれに沿って経験され得る軸３６に対してほぼ直角であるからである。
【００２１】
図９に詳述するラッチ構成要素の相互作用はプラグアセンブリ２８のある程度の制約を提供し、比較的低い張力による断線を防止するとはいえ、それは、実質的に軸３６に沿った十分な引張を加えられると、プラグ及びジャックが非破壊的に接続が切れることを許容してしまう。タブ５９とプラグ・ラッチ停止部６０との間の相互作用のため、プラグラッチ６２と、したがってプラグ６８とは、無制限に引き抜かれることを防止される。しかしながら、プラグ／ジャックの組み合わせ上での、かつ中心軸３６に沿った長手方向張力Ｆの場合、力Ｆが、プラグラッチ６２及びプラグ・ラッチ停止部６０間の係合を克服するに十分大きい場合には、プラグアセンブリ２８とジャック３２は、分離し始める。図９の詳細図では、水平方向構成要素力ＦＨ及び垂直方向構成要素力ＦＶは、相互作用ポイント７４で示されている。水平方向構成要素力ＦＨは、中心軸３６に沿った力Ｆにほぼ等しい。これらの力間の変動は、摩擦効果と、ジャックの接点がプラグアセンブリ２８に対して水平方向に及ぼす力との結果である。垂直方向構成要素力ＦＶは、プラグラッチ６２の可撓性と、水平方向に対するその角度θとの結果である。可撓性部材５８は、その後部７６で筐体３８に取り付けられるため（図７を参照）、可撓性部材５８の撓みは、図９の方位に対して反時計回り方向のモーメントＭ６９のため、ポイント６７でのまたはそれを中心とした回転に変換される。静止系（プラグアセンブリ２８がジャック筐体３８から解放される以前）においては、モーメントＭ６９は、次式のように計算することが可能であり、
Ｍ＝（ＦＨ×δＶ）＋（ＦＶ×δＨ）        方程式（１）、
式中、δＶは相互作用ポイント７４と中心撓曲軸６５との間の垂直方向距離であり、δＨは相互作用ポイント７４とポイント６７との間の水平方向距離である（図９の詳細図を参照）。上の式は、プラグアセンブリ２８がジャック筐体３８から解放されるのに先立つ静止系を表すことには注意する価値がある。力が増すにつれて、モーメントＭ６９も増加して、その結果、プラグアセンブリ２８がジャック筐体３８から動的に解放されるまで、部材５８にさらなる撓曲を生じさせる。
【００２２】
可撓性部材５８のこの回転が、中心軸６５の角度に対する平面７２の角度αを変化させ、より大きい張力が加えられるにつれて、αを、９０°からますます外れる。比較的低いαの偏差では、タブ５９とプラグ・ラッチ停止部６０との間の摩擦はラッチ６２が解放されるのを防止するが、十分な角度αでは、この摩擦は、タブ５９がプラグ・ラッチ停止部６０に対して滑るポイントまで減少する。この滑りが発生するポイントは、これらに限られないが、プラグ・ラッチ停止部６０（垂直表面６１及び／または角度付き表面６３を含む）のサイズ及び／または形状を調整すること、可撓性部材５８を作る材料を調整すること、及び可撓性部材５８のサイズ／長さ／厚さを調整すること、を含むいくつかの方法で調整され得る。プラグ・ラッチ停止部６０に対するタブ５９の滑りに先立って、プラグラッチ６２も、平面７２のそれに比較的平行な方向に偏向するため、プラグラッチ６２が塑性変形のポイントにまで偏向に先立って滑りが発生するポイントを設計することが好ましい。同様に、可撓性部材５８が塑性変形のポイントにまで偏向に先立って滑りが発生するポイントを設計することがまた好ましい。ある実施形態では、ラッチ６２及び／または可撓性部材５８の撓みは、中心軸３６に対して０°を超える値から約１５°までの範囲にある。
【００２３】
滑ると、タブ５９は、最初に、プラグ・ラッチ停止部６０の垂直表面６１を超えて、その後で、角度付き表面６３と接触する。後部垂直表面７０に対する角度付き表面６３の角度は後部垂直表面７０に対する垂直表面６１のそれよりも大きいため、タブは引き続き角度付き表面６３を通り過ぎて滑り、ラグ・ラッチ停止部６０を超えて、ラッチ６２及び可撓性部材５８が、その休止／デフォルト位置にまで偏向して戻ることを許容する。これが、プラグ６８をジャック３２から解放する。
【００２４】
図５及び６を再度参照すると、可撓性部材５８が偏向余地を提供するために、可撓性部材５８上に逃がしエリア６４を提供することが可能である。この特徴は、逃がし６４無しで、実装環境が可撓性部材５８を制約して、適切な撓みを防止し得る実施形態では有用であり得る。
【００２５】
ある実施形態では、ジャック３２は次の特徴を含む。
【表１】
0006623019.tif 000002
表中、可撓性部材５８の長さは、ジャック筐体３８の前部近傍のその先端からその後部７６まで測定されており、角度付き表面６３の高さは、ジャック３２の長さに対して垂直に測定されており、中間区分の半径は、垂直区分６１と角度付き表面６３と間に位置付けられた湾曲した中間区分の半径の測定値であり、逃がしのための力は、標準のＲＪ４５型プラグを、対応する特徴を持つジャックから解放するために必要な力の測定値である。表１中のすべての測定値は、＋／−５％だけ変動し得るし、代替例では、表１中の測定値は、例えば＋／−１０％または＋／−２０％だけ変動し得る。
【００２６】
本発明による離脱式ＲＪ４５型ケーブルアセンブリの代替実施形態を図１０に示すが、図中、アセンブリ６６は、両端部が離脱式筐体３８を利用するジャックツージャック構成を含む。さらに別の実施形態では、離脱式筐体３８が、図１及び２に示すジャック２４と似た１つの受動機器及び／または能動機器の内部で用いられる。
【００２７】
本発明をいくつかの実施形態に関連して説明したが、これらの実施形態は、（それらが例示であると表示されているかいないかとは無関係に）非制限的であり、本発明の範囲内に入る変更例、置き換え例、及び均等例が存在することに留意されたい。加えて、記載する実施形態は、互いに排他的であると解釈されるべきではなく、それどころか、組み合わせが許容されるのであれば、潜在的に組み合わせ可能であることに留意すべきである。本発明の方法及び装置を実装する多くの代替の方法が存在することにも留意すべきである。したがって、続く特許請求の範囲は、本発明の真の趣旨及び範囲内に入るすべてのこのような変更例、置き換え例、及び均等例を含むものと解釈され得ることを意図するものである。
【符号の説明】
【００２８】
９  切断線
２０  通信システム
２２  パッチパネル
２４  ＲＪ４５型ジャック
２６  離脱式ＲＪ４５型ケーブルアセンブリ
２８  ＲＪ４５型プラグ
３０  ケーブル
３２  ジャック
３４  ＲＪ４５型パッチコード
３６  中心軸
【図１】
0006623019.tif 000003
【図２】
0006623019.tif 000004
【図３】
0006623019.tif 000005
【図４】
0006623019.tif 000006
【図５】
0006623019.tif 000007
【図６】
0006623019.tif 000008
【図７】
0006623019.tif 000009
【図８】
0006623019.tif 000010
【図９】
0006623019.tif 000011
【図１０】
0006623019.tif 000012